(57)【要約】【課題】光源の寿命が近づいて光源の光量が低下しても、画像品質を損なうことなく光源を継続使用する。【解決手段】原稿に光を照射する光源と、原稿からの反射光を受光して受光量に応じた出力信号を出力する受光部とを備え、原稿を走査して原稿の画像データを読み取る原稿読み取り装置であって、光源の光量レベルを検出する光量レベル検出部７１と、光量レベルが予め設定された基準レベル以上の場合に、通常の走査速度で動作する通常モードに設定し、光量レベルが基準レベル未満の場合に、走査速度を通常モードより低下させて動作させる光源寿命延長モードに設定する光源寿命モード制御部７２とを備えている。【選択図】図２
2017158093.tif 000002
【特許請求の範囲】
【請求項１】
原稿に光を照射する光源と、前記原稿からの反射光を受光して受光量に応じた出力信号を出力する受光部とを備え、前記原稿を走査して前記原稿の画像データを読み取る原稿読み取り装置であって、
前記光源の光量レベルを検出する光量レベル検出部と、
前記光量レベルが予め設定された基準レベル以上の場合には、通常の走査速度で動作する通常モードに設定し、前記光量レベルが前記基準レベル未満の場合には、前記走査速度を前記通常モードより低下させて動作させる光源寿命延長モードに設定する光源寿命モード制御部と
を備えたことを特徴とする原稿読み取り装置。
【請求項２】
寿命が終了した前記光源を延長して使用するか否かを設定する光源寿命延長設定を受け付ける操作部を備え、
前記光源寿命モード制御部は、
前記光量レベルが前記基準レベル未満の場合で、前記光源の延長使用が設定されている場合には前記光源寿命延長モードに設定し、前記光源の延長使用が設定されていない場合には前記光源が交換されるまで前記原稿の読み取りを禁止する
ことを特徴とする請求項１に記載の原稿読み取り装置。
【請求項３】
前記光源寿命モード制御部は、
前記光量レベルが前記基準レベル未満の場合で、前記光量レベルが第１制御領域にある場合、前記走査速度を前記通常モードよりも低下させた第１光源寿命延長モードに設定し、前記光量レベルが前記第１制御領域より低位の第２制御領域にある場合、前記走査速度を前記第１光源寿命延長モードよりも低下させた第２光源寿命延長モードに設定する
ことを特徴とする請求項１又は２に記載の原稿読み取り装置。
【請求項４】
前記光源寿命モード制御部は、
前記光源寿命延長モードに設定した場合に、前記光源寿命延長モードであることを報知する
ことを特徴とする請求項１から３までのいずれか１項に記載の原稿読み取り装置。
【請求項５】
前記光源寿命モード制御部は、
前記光源寿命延長モードにおける前記原稿の読み取り枚数をカウントし、前記読み取り枚数が所定枚数を超えた場合に、前記光量レベルに関係なく前記原稿の読み取りを禁止する
ことを特徴とする請求項１から４までのいずれか１項に記載の原稿読み取り装置。
【請求項６】
前記光源寿命モード制御部は、
前記光量レベルが前記基準レベル以上の場合に、前記光源が寿命として設定された点灯時間が経過している場合に、前記走査速度を前記通常モードより低速で、前記第１光源寿命延長モードより高速にする第３光源寿命延長モードに設定する
ことを特徴とする請求項３に記載の原稿読み取り装置。
【発明の詳細な説明】
【技術分野】
【０００１】
本発明は、原稿を走査して原稿の画像データを読み取る原稿読み取り装置に関する。
【背景技術】
【０００２】
複写機やファクシミリ装置等に設けられている原稿読み取り装置は、光源から原稿に光を照射して、原稿で反射した光をＣＣＤセンサー等の撮像素子により光電変換して原稿画像を読み取っている。このような原稿読み取り装置においては、光源の寿命が近づくにつれて光源の光量が低下して、Ｓ／Ｎ比が悪化するため画像品質が劣化する。そこで、光源の照射タイミングを制御して、不要な照射を減らすことで光源の寿命が短くなることを防止する技術が提案されている（例えば、特許文献１を参照）。また、電源投入時に光源を点灯させ、そのときの光源の電流値に基づいて光源の劣化度を検出し、劣化している場合に光源の交換を警告することで、画像品質を維持する必要があれば光源を交換し、画像品質を維持する必要がなければ光源を継続使用できるようにした技術が提案されている（例えば、特許文献２を参照）。
【先行技術文献】
【特許文献】
【０００３】
【特許文献１】特開2012-11563号公報
【特許文献２】特開2000-78362号公報
【発明の概要】
【発明が解決しようとする課題】
【０００４】
しかしながら、特許文献１、２の技術では、光源の寿命が近づいて光源の光量が低下した場合に、画像品質を損なわずに使用するためには、すぐに光源を交換する必要があり、光源の交換が終了するまで原稿読み取り装置を使えなかったという問題があった。
【０００５】
本発明は上記課題に鑑みてなされたものであり、光源の寿命が近づいて光源の光量が低下しても、画像品質を損なうことなく光源を継続使用することができる技術を提供することを目的とする。
【課題を解決するための手段】
【０００６】
本発明の原稿読み取り装置は、原稿に光を照射する光源と、前記原稿からの反射光を受光して受光量に応じた出力信号を出力する受光部とを備え、前記原稿を走査して前記原稿の画像データを読み取る原稿読み取り装置であって、前記光源の光量レベルを検出する光量レベル検出部と、前記光量レベルが予め設定された基準レベル以上の場合には、通常の走査速度で動作する通常モードに設定し、前記光量レベルが前記基準レベル未満の場合には、前記走査速度を前記通常モードより低下させて動作させる光源寿命延長モードに設定する光源寿命モード制御部とを備えたことを特徴とする。
また、寿命が終了した前記光源を延長して使用するか否かを設定する光源寿命延長設定を受け付ける操作部を備え、前記光源寿命モード制御部は、前記光量レベルが前記基準レベル未満の場合で、前記光源の延長使用が設定されている場合には前記光源寿命延長モードに設定し、前記光源の延長使用が設定されていない場合には前記光源が交換されるまで前記原稿の読み取りを禁止してもよい。
また、前記光源寿命モード制御部は、前記光量レベルが前記基準レベル未満の場合で、前記光量レベルが第１制御領域にある場合、前記走査速度を前記通常モードよりも低下させた第１光源寿命延長モードに設定し、前記光量レベルが前記第１制御領域より低位の第２制御領域にある場合、前記走査速度を前記第１光源寿命延長モードよりも低下させた第２光源寿命延長モードに設定してもよい。
また、前記光源寿命モード制御部は、前記光源寿命延長モードに設定した場合に、前記光源寿命延長モードであることを報知してもよい。
また、前記光源寿命モード制御部は、前記光源寿命延長モードにおける前記原稿の読み取り枚数をカウントし、前記読み取り枚数が所定枚数を超えた場合に、前記光量レベルに関係なく前記原稿の読み取りを禁止してもよい。
また、前記光源寿命モード制御部は、前記光量レベルが前記基準レベル以上の場合に、前記光源が寿命として設定された点灯時間が経過している場合に、前記走査速度を前記通常モードより低速で、前記第１光源寿命延長モードより高速にする第３光源寿命延長モードに設定してもよい。
【発明の効果】
【０００７】
本発明によれば、光源の寿命が近づいて光源の光量が低下しても、画像品質を損なうことなく光源を継続使用することができる。
【図面の簡単な説明】
【０００８】
【図１】本発明に係る実施の形態の画像形成装置の断面模式図である。
【図２】図１に示す画像形成装置の概略構成を示す機能ブロック図である。
【図３】図１に示す液晶表示部における光源寿命延長設定画面の表示例である。
【図４】図１に示す光源の光束維持率と光源の光量レベルとの関係を示した図である。
【図５】図１に示す原稿読み取り部の動作モードを設定する処理の流れを示すフローチャートである。
【発明を実施するための形態】
【０００９】
以下、図を参照して本発明の実施形態を詳細に説明する。なお、以下の実施の形態において、同様の機能を示す構成には、同一の符号を付してある。
【００１０】
本実施の形態の画像形成装置は、複写機１であり、図１を参照すると、原稿読み取り部２と、原稿給送部３と、本体部４と、操作部５とを備えている。原稿読み取り部２は、本体部４の上部に配設され、原稿給送部３は、原稿読み取り部２の上部に配設されている。操作部５は、複写機１の手前側に配設されている。なお、本件の画像形成装置は、複写機１で説明したが、スキャナー、複合機、ファクシミリ装置等が含まれるのは、言うまでもない。
【００１１】
複写機１の手前側には、複写機１の設定や動作指示を行う操作部５が配設されている。操作部５は、液晶表示部５１、操作ボタン５２が設けられている。ユーザーは操作部５を操作して指示を入力することで、複写機１の各種の設定を行い、画像形成等の各種機能を実行させる。液晶表示部５１は、複写機１の状態を表示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１２】
原稿読み取り部２は、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳの搬送方向に移動可能に構成されている。プラテンガラス２２は、ガラス等の矩形状の透明部材により構成され、原稿読み取り部２の上面に配置された原稿台である。また、原稿読取スリット２３は、原稿給送部３による原稿の搬送方向と直交する方向に形成されたスリットである。
【００１３】
原稿給送部３は、原稿載置部３１と、原稿搬送機構３２と、原稿排出部３３とを備えている。原稿載置部３１に載置された原稿ＭＳは、原稿搬送機構３２によって、１枚ずつ順に繰り出されて原稿読取スリット２３に対向する位置へ搬送され、その後、原稿排出部３３に排出される。なお、原稿給送部３と原稿読み取り部２とは、複写機１の奥側でヒンジ機構によって接続されており、原稿給送部３を手前側から上方に開くことで、原稿読み取り部２上面のプラテンガラス２２を開放可能な構成になっている。また、原稿給送部３におけるプラテンガラス２２の対向面は、白色の原稿押さえ面（白色板）となっている。
【００１４】
プラテンガラス２２に載置された原稿ＭＳを読み取る場合には、スキャナー２１は、プラテンガラス２２に対向する位置に移動され、プラテンガラス２２に載置された原稿ＭＳを走査しながら原稿ＭＳを読み取って画像データを取得し、取得した画像データを本体部４に出力する。また、原稿給送部３により搬送された原稿ＭＳを読み取る場合には、スキャナー２１は、原稿読取スリット２３と対向する位置に移動され、原稿読取スリット２３を介し、原稿給送部３による原稿ＭＳの搬送動作と同期して原稿ＭＳを読み取って画像データを取得し、取得した画像データを本体部４に出力する。
【００１５】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読み取り部２と本体部４との間に形成された排出空間４６に排出される。このように、給紙ローラー４２、搬送ローラー４４及び排出ローラー４５は、記録紙Ｐの搬送部として機能する。
【００１６】
記録部６は、感光体ドラム６１と、帯電部６２と、露光部６３と、現像部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。現像部６４は、トナーを用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。定着部６６は、転写部６５によってトナー像が転写された記録紙を加熱してトナー像を記録紙Ｐに定着させる。そして感光体ドラム６１上に残存するトナーは、クリーニング部６７によって除去される。
【００１７】
図２には、複写機１の概略構成を示す機能ブロック図が示されている。上述の原稿読み取り部２、原稿給送部３、搬送部（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００１８】
制御部７は、ＲＯＭ（Read Only Memory）、ＲＡＭ（Random Access Memory）等を備えたマイクロコンピューター等の情報処理部である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。
【００１９】
また、制御部７は、光源２４の光量レベルを検出する光量レベル検出部７１、検出された光量レベルに基づいて、原稿読み取り部２を「通常モード」、「第１光源寿命延長モード」、「第２光源寿命延長モード」、「使用不可」のいずれか１つの動作モードで動作するように制御する光源寿命モード制御部７２として機能する。
【００２０】
「第１光源寿命延長モード」及び「第２光源寿命延長モード」は、光源が寿命末期で光量が低下している場合に、光源２４を一時的に継続使用して、画像品質を損なわずに原稿読み取りを行うことができるいわばレスキューモードである。第１光源寿命延長モード及び第２光源寿命延長モードは、操作部５に表示された光源寿命延長設定画面Ｇ８０（図３を参照）で、光源寿命の延長使用を指示する「はい」ボタンＢ８１が押された場合に、操作部５により光源寿命の延長使用の設定が受け付けられ、使用可能となる。操作部５により光源寿命の延長使用の設定が受け付けられた場合、光源寿命モード制御部７２は、原稿読み取り部２を「通常モード」、「第１光源寿命延長モード」、「第２光源寿命延長モード」、「使用不可」のいずれか１つの動作モードで動作させる。光源寿命の延長使用を指示しない「いいえ」ボタンＢ８２が押された場合には、操作部５により光源寿命を延長使用しない設定が受け付けられ、光源寿命モード制御部７２は、原稿読み取り部２を「通常モード」又は「使用不可」のいずれかの動作モードで動作させる。
【００２１】
図４は、光源２４の光束維持率（光源２４の初期光量に対する変化）と、光源２４の光量レベルとの関係を示した図である。ここでは、光源２４は、光束維持率が７０％になるまでの点灯時間（例えば約１万時間）を寿命として設計されている場合を例に説明する。本実施形態では、複写機１の電源が投入されたときと、原稿読み取り操作がされたときに、光源２４を規定条件で点灯させて、白色板に反射した光を受光部２５に受光させ、このときの受光部２５の出力信号に基づいて光源２４の光量レベルを検出する。なお、原稿読み取り操作としては、操作部５により原稿読み取り設定が行われたり、プラテンガラス２２に原稿ＭＳを載置するために原稿給送部３が上方に持ち上げられたことが検知されたり、原稿給送部３に原稿ＭＳが載置されたことが検知されたりする場合があげられる。また、フォトダイオード等の光量検出センサーを原稿読み取り部２に設けて、光量検出センサーにより光源２４の光量レベルを検出してもよい。
【００２２】
光源２４の光量が光束維持率７０％以上である場合、光源２４の寿命は終了しておらず、検出された光量レベルは正常領域にある。正常領域とは、光源２４の寿命として設定された光束維持率（例えば７０％）に対応する光量レベル（基準レベル）以上である場合を言う。光源２４の光量が光束維持率７０％を下回る場合、光源２４の寿命は終了している。本実施形態では、光源２４の寿命が終了している場合において、光源２４の光量が光束維持率６５％〜７０％（以下では、６５％〜７０％を「約７０％」として説明する）である場合に検出された光量レベルを第１制御領域とし、光源２４の光量が光束維持率６０％〜６５％（以下では、６０％〜６５％を「約６０％」として説明する）である場合に検出された光量レベルを第２制御領域とし、光源２４の光量が光束維持率６０％未満である場合に検出された光量レベルを異常領域とする。
【００２３】
光源寿命モード制御部７２は、検出された光量レベルが正常領域である場合に、原稿読み取り部２の動作モードを通常モードに設定する。光量レベルが正常領域にない場合には、光源寿命モード制御部７２は、光源寿命の延長を指示する光源寿命延長設定がされているか否かを判定する。光源寿命延長設定が「はい」ボタンＢ８１にされている場合には、光源寿命モード制御部７２は、光量レベルが正常領域より低位の第１制御領域にある場合に、原稿読み取り部２を第１光源寿命延長モードに設定し、光量レベルが第１制御領域より低位の第２制御領域にある場合に、原稿読み取り部２を第２光源寿命延長モードに設定し、光量レベルが第２制御領域より低位の異常領域にある場合に原稿読み取り部２を使用不可とする。検出された光量レベルが正常領域になく、光源寿命延長設定が「いいえ」ボタンＢ８２にされている場合には、光源寿命モード制御部７２は、原稿読み取り部２を即時に使用不可とする。
【００２４】
通常モードでは、光源寿命モード制御部７２は、原稿読み取り部２を予め設定された通常の走査速度で動作させるように制御する。
【００２５】
第１光源寿命延長モードでは、光源寿命モード制御部７２は、原稿読み取り部２を通常モードの走査速度に対して約４０％低下した走査速度で動作させるように制御する。受光部２５は、受光した光量に応じた電荷を蓄積して出力信号として出力する素子である。つまり、受光部２５の受光時間を長くすることにより、受光部２５で蓄積される電荷量を増やすことができる。そこで、本実施形態では、光源２４の光量が低下した場合、受光部２５における受光時間を光量が低下した分だけ長くすることにより、受光部２５が通常モードと同じ出力レベルの出力信号を出力できるようにしている。通常モードにおける光源２４の光量を１００％した場合、第１光源寿命延長モードにおける光源２４の光量は約７０％に低下している。そのため、第１光源寿命延長モードで受光部２５が通常モードと同じ光量分の電荷を蓄積するためには、１００÷７０で約１．４倍掛かる。そこで、第１光源寿命延長モードでは、原稿読み取り部２の走査速度を通常モードよりも４０％落としている。これにより、原稿ＭＳがプラテンガラス２２に載置されている場合にはスキャナー２１を移動させるモーター速度が４０％低下し、原稿ＭＳが原稿給送部３にセットされている場合には原稿ＭＳを搬送するためのモーター速度が４０％低下する。そのため、光源２４の光量が低下しても通常モードと同じ受光量の出力信号が受光部２５から出力され、受光部２５の分解能が落ちないので画像品質を維持できる。
【００２６】
第２光源寿命延長モードでは、光源寿命モード制御部７２は、原稿読み取り部２を通常モードの走査速度に対して７０％低下した走査速度で動作するように制御する。通常モードにおける光源２４の光量を１００％とした場合、第２光源寿命延長モードにおける光源２４の光量は約６０％に低下しているから、第２光源寿命延長モードで受光部２５が通常モードと同じ電荷量を蓄積するためには、１００÷６０より約１．７倍掛かる。そこで、第２光源寿命延長モードでは、原稿読み取り部２の走査速度を通常モードより７０％落としている。これにより、原稿ＭＳがプラテンガラス２２に載置されている場合にはスキャナー２１を移動させるモーター速度が７０％低下し、原稿ＭＳが原稿給送部３にセットされた場合には原稿ＭＳを搬送するためのモーター速度が７０％低下する。そのため、光源２４の光量が低下しても通常モードと同じ受光量の出力信号が受光部２５から出力され、受光部２５の分解能が落ちないので画像品質を維持できる。
【００２７】
光源寿命モード制御部７２により原稿読み取り部２が使用不可となった場合、原稿読み取り部２は光源２４が交換されるまで原稿ＭＳの読み取りが禁止される。この場合、操作部５には光源２４の交換が必要である旨のエラーメッセージが表示される。なお、原稿読み取り部２の動作モードが第１光源寿命延長モードである場合や第２光源寿命延長モードである場合も、操作部５に動作モードの種別や走査速度を表示したり、ＬＥＤランプや音声等により通知したりして報知してもよい。
【００２８】
なお、本実施の形態では、光源２４としてＬＥＤを用いた場合を例に説明したが、ＬＥＤの代わりに蛍光灯や白熱灯を用いてもよく、通常モードとする基準レベルは、使用する光源２４の設計寿命に応じて適宜に設定されればよい。また、通常モードとする基準レベルは、シェーディング補正等の内部処理によって正常値に補正可能な限界値であってよい。また、使用不可とする閾値は、６５％に限らず、最も低い速度でモーター（原稿給送部３における原稿ＭＳを搬送するためのモーターや、スキャナー２１を移動させるためのモーター）を動作させたときに受光部２５で確保できる受光量から決定されてもよい。
【００２９】
画像処理部８は、画像データに対して所定の画像処理を行う手段であり、例えば、拡大縮小処理や、階調調整、濃度調整等の画像改善処理が行われる。
【００３０】
記憶部９は、半導体メモリーやＨＤＤ（Hard Disk Drive）等の記憶手段であり、原稿読み取り部２によって原稿ＭＳを読み取ることで取得された画像データが記憶されると共に、各種の管理情報が記憶されている。
【００３１】
次に、図５を参照して、上記の複写機１における画像読み取り動作について説明する。
【００３２】
まず、複写機１の電源投入や、原稿読み取り操作がされると（ステップｓ１１）、光量レベル検出部７１は、光源２４を規定条件で点灯させ（ステップｓ１２）、受光部２５から受光量に応じて出力される出力信号に基づいて光源２４の光量レベルを検出する（ステップｓ１３）。
【００３３】
つづいて、光源寿命モード制御部７２は、光量レベル検出部７１により検出された光量レベルが正常領域にあるか否か（基準レベル以上か否か）を判定する（ステップｓ１４）。正常領域にある場合（ステップｓ１４でＹｅｓ）、光源寿命モード制御部７２は、光源２４の寿命が終了していないと判断し、原稿読み取り部２の動作モードを通常モードに設定し（ステップｓ１５）、本処理を終了する。これにより、原稿読み取り部２は、通常モードで動作し、通常の走査速度で原稿読み取りを行う。
【００３４】
一方、検出された光量レベルが正常領域にない（基準レベル未満だった）場合には（ステップｓ１４でＮｏ）、光源寿命モード制御部７２は、光源２４の寿命が終了したと判断し、図３に示す光源寿命延長設定が「はい」ボタンＢ８１に設定されているか否かを判定する（ステップｓ１６）。
【００３５】
光源寿命延長設定が「はい」ボタンＢ８１に設定されている場合には（ステップｓ１６でＹｅｓ）、光源寿命モード制御部７２は、検出された光量レベルが第１制御領域にあるか否かを判定する（ステップｓ１７）。第１制御領域にある場合には（ステップｓ１７でＹｅｓ）、光源寿命モード制御部７２は、原稿読み取り部２の動作モードを第１光源寿命延長モードに設定し（ステップｓ１８）、本処理を終了する。これにより、原稿読み取り部２は、第１光源寿命延長モードで動作し、通常モードよりも４０％低下した走査速度で原稿読み取りを行う。また、操作部５は、原稿読み取り部２の動作モードが第１光源寿命延長モードであり、走査速度が４０％低下している旨を表示してもよい。
【００３６】
一方、検出された光量レベルが第１制御領域にない場合には（ステップｓ１７でＮｏ）、光源寿命モード制御部７２は、検出された光量レベルが第２制御領域にあるか否かを判定する（ステップｓ１９）。第２制御領域にある場合には（ステップｓ１９でＹｅｓ）、光源寿命モード制御部７２は、原稿読み取り部２の動作モードを第２光源寿命延長モードに設定し（ステップｓ２０）、本処理を終了する。これにより、原稿読み取り部２は、第２光源寿命延長モードで動作し、通常モードよりも７０％低下した走査速度で原稿読み取りを行う。また、操作部５は、原稿読み取り部２の動作モードが第２光源寿命延長モードであり、走査速度が７０％低下している旨を表示してもよい。
【００３７】
一方、検出された光量レベルが正常領域になく、光源寿命延長設定が「いいえ」に設定されている場合や（ステップｓ１６でＮｏ）、検出された光量レベルが第２制御領域を下回っている場合には（ステップｓ１９でＮｏ）、光源寿命モード制御部７２は、原稿読み取り部２を使用不可にして（ステップｓ２１）、本処理を終了する。これにより、原稿読み取り部２が使用禁止となり、操作部５には、光源２４の交換が必要である旨のエラーメッセージが表示される。
【００３８】
このように、複写機１は、原稿ＭＳに光を照射する光源２４と、原稿ＭＳからの反射光を受光して受光量に応じた出力信号を出力する受光部２５とを備え、原稿ＭＳを走査して原稿ＭＳの画像データを読み取る原稿読み取り装置であって、光源２４の光量レベルを検出する光量レベル検出部７１と、光量レベルが予め設定された基準レベル以上の場合には、通常の走査速度で動作する通常モードに設定し、光量レベルが基準レベル未満の場合には、走査速度を通常モードより低下させて動作させる光源寿命延長モードに設定する光源寿命モード制御部７２とを備えている。光源２４が寿命となり、光源２４の光量が低下した場合には、光源寿命モード制御部７２により原稿読み取り部２の走査速度が通常モードより低下するので、受光部２５のダイナミックレンジを落とさなくて済み、分解能を確保することができる。そのため、読み取った画像データのコントラストを通常モードと同様に維持することができ、画像品質を損なわずに済む。
【００３９】
なお、光源寿命モード制御部７２は、第１光源寿命延長モード、第２光源寿命延長モードで動作中の原稿読み取り部２による原稿ＭＳの読み取り枚数をカウントし、読み取り枚数が例えば１０００枚等の所定枚数を超えた場合には、光量レベル検出部７１により検出された光量レベルに関係なく、原稿読み取り部２の動作モードを使用不可に設定して、使用禁止にしてもよい。保守管理を簡単にするためである。
【００４０】
また、光源寿命モード制御部７２は、検出された光量レベルが正常領域であっても、光源２４の点灯時間が寿命として設定された点灯時間を経過している場合、例えば走査速度を通常モードよりも１０％落とす第３光源寿命延長モードに設定してもよい。つまり、第３光源寿命延長モードでは、走査速度が通常モードより低速で第１光源寿命延長モードより高速に制御される。こ光源２４の点灯時間が寿命として設定された点灯時間を経過している場合も、光源２４の寿命が終了しているからである。
【００４１】
本発明は上述した実施の形態に限定されるものではなく、本発明の趣旨を逸脱しない範囲で種々様々に変更が可能であることは言うまでもない。
【符号の説明】
【００４２】
１  複写機
２  原稿読み取り部
３  原稿給送部
４  本体部
５  操作部
６  記録部
７  制御部
８  画像処理部
９  記憶部
２１  スキャナー
２２  プラテンガラス
２３  原稿読取スリット
２４  光源
２５  受光部
３１  原稿載置部
３２  原稿搬送機構
３３  原稿排出部
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  現像部
６５  転写部
６６  定着部
６７  クリーニング部
７１  光量レベル検出部
７２  光源寿命モード制御部
Ｇ８０  光源寿命延長設定画面
Ｂ８１、Ｂ８２  ボタン
ＭＳ  原稿
Ｐ  記録紙
【図１】
2017158093.tif 000003
【図２】
2017158093.tif 000004
【図３】
2017158093.tif 000005
【図４】
2017158093.tif 000006
【図５】
2017158093.tif 000007